【事件の表示】
　特願２００２−２３７６３７「ジョブ情報管理装置及びジョブ情報管理方法」拒絶査定不服審判事件〔平成１５年　６月２７日出願公開、特開２００３−１７９７１２〕について、次のとおり審決する。
【結　論】
　本件審判の請求は、成り立たない。
【理　由】
１．手続きの経緯・本願発明
　本願は、平成９年１２月５日に出願した特願平９−３３５７８３号の一部を平成１４年８月１６日に新たな特許出願としたものであって、その請求項１〜８に記載された発明は、平成１９年１２月２１日付けで補正された明細書の記載からみて、その特許請求の範囲の請求項１〜８に記載されたとおりものと認められるところ、その請求項３に記載された発明は次のとおりのものである。（以下、「本願発明」という。）
　
　「【請求項３】　電子的なイメージデータを用紙に印刷する印刷装置であって、
　原稿を読み取って得たイメージデータを複写ジョブとして用紙に印刷する複写制御手段と、
　クライアント装置が与える印刷ジョブに基づいたイメージデータを用紙に印刷する印刷制御手段と、
　前記複写制御手段又は前記印刷制御手段による処理の対象となる複写ジョブと印刷ジョブとにおける各ジョブのイメージデータのサイズ情報を、各ジョブが複写ジョブであるか印刷ジョブであるかの種類の情報と各ジョブの識別子とに対応づけて外部装置に送信するジョブ情報送信手段と、
　を備える印刷装置。」
　
２．引用例
（１）当審の拒絶の理由に引用された特開平９−３１１７６６号公報（以下、「引用例１」という。）には、
　ア　「【０００１】
【発明の属する技術分野】本発明は、複写機やファクシミリ等のプリンタサーバに関し、複数の端末と接続され、他の各端末から依頼されたプリント処理を順次実行するプリンタサーバに関する。
【０００２】
【従来の技術】近年、オフィスオートメーション化が進み、プリンタサーバと他の複数の端末とをネットワーク接続し、他端末から依頼されたプリント処理をプリンタサーバで優先順位に従って実行することによりプリンタサーバの効率的な利用等が図られつつある。
【０００３】従来から複数のクライアント（例えば、パーソナルコンピュータ（以下、ＰＣと記す。））と、プリンタサーバ（例えば、複写機）とを専用コントローラ（例えば、スイッチ）を介してネットワーク接続したシステムが考えられている（特開平４−２３３５５５号公報）。」（２頁１欄４６行〜２欄１２行）、
　イ　「【００１３】
【発明の実施の形態】以下、図面に基づいて、本発明の実施の形態を説明する。図１は、本発明の実施の形態のネットワークシステムの全体構成を示す図である。図１において、例えばオフィスの１階には、複写機１と、イメージスキャナ２と、パーソナルコンピュータ（以下、ＰＣと記す。）３が、２階には、複写機４と、ファクシミリ５が、３階には、複写機６がそれぞれ設置されている。これら３台の複写機１，４，６と、イメージスキャナ２と、ＰＣ３と、ファクシミリ５とは、伝送路７を介して相互に接続され、ローカルエリアネットワークシステムが形成されている。
【００１４】各複写機１，４，６は、画像読み取り機能と、画像を編集する画像処理機能と、プリント機能とを有する。また、複写機１は、さらにファクシミリ送信機能と、ファクシミリ受信機能を有する。各複写機１，４，６、イメージスキャナ２、ＰＣ３、ファクシミリ５は、自装置が有する種々の機能のいくつかをネットワーク接続された他の装置に対して提供する。すなわち、各複写機１，４，６は、他の装置から依頼されたプリントやファクシミリ送信などの処理をサーバとして実行することができる。
【００１５】例えば複写機１は両面コピー、ソート、ステイプル、ＦＡＸ送受信の機能を、複写機４は画像編集、Ｎｉｎ１コピーの機能を、複写機６は両面コピー、ソート、ステイプルの機能を、他の端末にそれぞれ提供している。このため、例えば、複写機４で原稿の画像を読み取り、読み取った画像を各複写機１に送り、その画像を複写機１でプリントしたり、ＦＡＸ送信することができる。また、各複写機１，４，６は、さらにプリントやファクシミリ送信などの処理をネットワーク接続される他の装置にクライアントとして依頼することができる。
【００１６】図２は、図１の複写機１の全体概略構成を示す図である。図２において、複写機１は、概ね画像読み取り部ＩＲと、プリンタユニットＰＲＴとを備えている。なお、画像読み取り部ＩＲには原稿を自動搬送するＡＤＦ５００が、プリンタユニットＰＲＴには用紙の両面にプリントするための自動両面装置ＤＵＰ（図示せず）と、画像をプリントした用紙をソートしたり、ステイプルしたり、パンチ穴を開けるためのフィニッシャ装置ＦＩＮ（図示せず）がそれぞれ取り付けられている。また、画像読み取り部ＩＲには、メモリユニット３０と、ファクシミリ送受信やネットワーク通信を行う外部入出力制御部５０と、操作パネルＯＰとが設けられている。プリンタユニットＰＲＴには、上記各部を統括的に制御する制御部ＣＯＮＴが設けられている。」（３頁３欄２４行〜４欄２０行）、
　ウ　「【００２４】外部入出力制御部５０は、ネットワークにどんな処理機能を備えた端末装置が接続されているかを知るために、ネットワーク接続される他の装置に対して他の装置が提供する機能を表す情報の開示を要求を送信し、他の装置から通知された情報を受信する。また、外部入出力制御部５０は、他の装置に依頼する処理の依頼形式を知るために、選択された他の装置に対して処理の依頼形式を表すフォーマット情報の開示の要求を送信し、他の装置から通知されたフォーマット情報を受信する。さらに、外部入出力制御部５０は、他の装置に対して依頼する処理と、フォーマット情報に合致させた動作指示情報を送信し、他の装置から依頼された処理と、動作指示情報とを受信する。」（４頁５欄４０行〜６欄２行）、
　エ　「【００３０】メモリユニット用ＣＰＵ１０３は、メモリユニット３０と外部入出力制御部５０とを制御しており、画像信号処理部２０から出力された画像データや、外部入出力制御部５０を介して他の装置から依頼された処理に用いる画像データを画像データをメモリユニット３０に一旦格納するようになっている。また、メモリユニット用ＣＰＵ１０３は、動作指示情報に基づいて、メモリユニット３０から読み出した画像データを印字処理部４０に出力するよう指示することによりプリント処理が実行され、ファクシミリ変換部５２に出力するよう指示することによりＦＡＸ送信が実行され、さらに画像データを外部入出力制御部５０に出力するよう指示することにより依頼する処理に用いる画像データを他の端末に送信できるようになっている。」（５頁７欄２０行〜３３行）、
　オ　「【００３９】マスター用ＣＰＵ１０４は、メモリユニット用ＣＰＵ１０３の指示に従って、プリント装置ＰＲＴのシートサイズ検出センサＳＥ１１、ＳＥ１２からの検出信号を受信し、印字処理ユニット４０、光学系６０、作像系７０、搬送系８０を制御することにより、用紙に画像をプリントするようになっている。」（６頁９欄１０行〜１５行）、
　カ　「【００４２】このように構成された複写機１は、画像読み取り機能と、画像を編集する画像処理機能と、プリント機能とを組み合わせたアプリケーションであるコピーと、プリント機能単独のアプリケーションであるプリンタと、ファクシミリ送信機能と、ファクシミリ受信機能と、画像読み取り機能と、プリント機能とを組み合わせたアプリケーションであるファクシミリとの３つのアプリケーションを実行できるようにしている。また、プリントやファクシミリ送信などの処理に必要な機能の全部または一部をネットワーク接続される他の装置に依頼するために、ネットワークにどんな処理機能を備えた端末装置が接続されているかを知り、さらに処理の依頼形式を表すフォーマット情報を知り、他の装置に依頼すべき処理をフォーマット情報に合致させて送信するようにしている。さらに、他の装置から依頼された処理をアプリケーション毎に最適に実行するようにしている。」（６頁９欄３４行〜４９行）、
　キ　「【００５９】次いで、接続ステージ・動作ステージにおけるクライアントの動作および動作ステージにおけるサーバの動作について、それぞれ詳細に説明する。ところで、各装置は、上述したように自装置のアプリケーションで発生した処理を自装置で実行することができ、自装置のアプリケーションで発生した処理をネットワーク接続される他の装置に依頼することができ、さらに他の装置から依頼された処理を実行することができる。このため、他の装置に依頼したジョブと、自装置で実行するジョブと分けて管理する必要がある。なお、自装置で実行するジョブには、自装置のアプリケーションで発生した処理を自装置で実行するローカルジョブと、他の装置から依頼された処理を自装置で実行するネットワークジョブとがある。また、画像読み取り部ＩＲと、プリンタユニットＰＲＴと、ＦＡＸ送信等とが非同期に動作する。さらに、アプリケーションのコピー、プリント、ファクシミリのＦＡＸ受信には、プリント処理が共通に含まれている。このため、ローカルジョブおよびネットワークジョブは、画像読み取りジョブと、プリントジョブと、ＦＡＸ送信ジョブ等とが分けて管理される。」（８頁１３欄１４行〜３３行）、
　ク　「【００６６】図１６は、クライアント用ジョブ管理テーブルＪＴ（ｂ）の構成の一例を示す図である。図１９のクライアント用ジョブ管理テーブルＪＴ（ｂ）は、ネットワーク接続された他の装置の機能を利用するジョブを管理するためのものであり、ジョブＩＤと、サーバと、サーバジョブＩＤと、ジョブタイプと、アプリケーションと、後処理と、動作指示情報とを備える。
【００６７】ジョブＩＤは、自装置で発生したジョブの識別番号である。サーバは、ジョブを依頼した装置（例えば、３Ｆ複写機、１Ｆファクシミリ、１Ｆ複写機、２Ｆファクシミリ等）を示す。サーバジョブＩＤは、サーバから返送されたサーバ内でのジョブＩＤである。ジョブタイプは、ジョブの種類（例えば、コピー、ＦＡＸ送信、画像編集等）を示す。アプリケーションは、ジョブを生成した装置（コピー、ＦＡＸ等）を示す。後処理は、予め選択されたジョブ完了時の処理内容（完了レポート、無し、画像プリント）を示す。動作指示情報は、ジョブタイプに応じた動作内容を示す。動作内容には、原稿枚数、プリント部数、プリント／送信サイズ、画像データ形式（圧縮／非圧縮）、ＦＡＸ送信先、画像データ転送先等がある。
【００６８】このクライアント用ジョブ管理テーブルＪＴ（ｂ）は、操作パネルＯＰからの入力と、サーバから返送されたジョブＩＤとに基づき、操作パネル用ＣＰＵ１０１により生成され、ＲＡＭ１２１に格納される。そして、サーバでの処理が終了した後のジョブ完了レポートのプリントや、編集処理後の画像プリントのために用いられる。」（９頁１５欄４行〜３１行）、
　ケ　「【００７７】図１９は、サーバ用ジョブ管理テーブルＪＴ（ａ）の構成の一例を示す図である。非読み取りジョブは、図１９に示すサーバ用ジョブ管理テーブルＪＴ（ａ）により管理される。サーバ用ジョブ管理テーブルＪＴ（ａ）は、ジョブＩＤと、ジョブタイプと、クライアントと、アプリケーションと、プライオリティと、動作指示情報とを含み、それぞれ動作可能となったとき、プライオリティに従ってメモリユニット用ＣＰＵ１０３により、プリントや送信などのジョブが開始される。
【００７８】ジョブＩＤは、ジョブの識別番号であり、メモリ管理テーブルＭＴのジョブ番号「１，２，３，…」にそれぞれ対応している。ジョブタイプは、ジョブの種類（例えば、機能検索、プリント、画像編集、電話帳検索、ＦＡＸ送信等）を示す。クライアントは、ネットワーク接続された他の装置から指示されたジョブである場合に、その指示を出した装置（例えば、３Ｆ複写機、１Ｆ複写機、３Ｆ複写機、１Ｆ複写機、ローカルＰＣ等）を表す。なお、ブランクは、ローカルジョブを表している。アプリケーションは、ジョブを生成したコピー、ＦＡＸ、プリンタ等を示し、プリント等の具体的なジョブを包含する上位概念を表している。プライオリティは、ジョブの優先度を表す。動作指示情報は、ジョブタイプに応じた動作内容を示す。動作内容には、例えば、原稿枚数、プリント部数、プリント／送信サイズ、画像データ形式（圧縮／非圧縮）、ＦＡＸ送信先、画像データ転送先等の動作内容が格納される。
【００７９】このサーバ用ジョブ管理テーブルＪＴ（ａ）は、操作パネルＯＰから入力された場合、またはネットワーク接続された他の装置からの動作指示情報がネットワーク制御部５３から入力された場合に、メモリユニット用ＣＰＵ１０３により生成され、ＲＡＭ１２３に格納される。また、メモリユニット用ＣＰＵ１０３は、サーバ用ジョブ管理テーブルＪＴ（ａ）へのジョブ登録時に、プリントとファクシミリ送信の個別に実行できるスケジュールであるために、ＲＡＭ１２３のプリントジョブテーブルＰＴ（後述する図２０参照）と、ＦＡＸ送信ジョブテーブルＳＴ（後述する図２１参照）とにジョブの登録をそれぞれ行う。なお、ネットワーク接続された装置から登録したネットワークジョブについては、ジョブの登録後、ジョブＩＤをクライアントに通知する。」（１０頁１７欄２３行〜１８欄１３行）、
　コ　「【００８３】サーバ用ジョブ管理テーブルＪＴ（ａ）のプリントジョブおよびＦＡＸ送信ジョブは、ジョブプライオリティに基づきそれぞれスケジューリングされる。これらのスケジューリングには、プリントジョブテーブルＰＴおよびＦＡＸ送信ジョブテーブルＳＴを用いる。
【００８４】図２０は、プリントジョブテーブルＰＴの構成の一例を示す図である。図２０において、プリントジョブテーブルＰＴは、ジョブＩＤと、プライオリティと、登録時間と、ジョブステータスと、付加情報とを含む。
【００８５】ジョブＩＤは、ジョブ管理テーブルＪＴ（図１９参照）で付与されたジョブＩＤ中のプリントジョブに関するジョブの識別番号「２，４，５，８，…」である。プライオリティは、ジョブ管理テーブルＪＴで付与されたジョブＩＤ中のプリントジョブに関するジョブの優先度「４，６，１，５，…」を表す。登録時間は、プリントジョブに関するジョブの登録された時間「７：５８，８：０５，８：１１，８：１５」である。ジョブステータスは、ジョブの現在の情報（例えば、中断中、待機中、プリント等の実行中）を表す。付加情報は、図１９に示すジョブ管理テーブルＪＴで付与されたプリントジョブの付加情報に対応し、ジョブの割り込みが可能かどうかを判断するためのフィニシング装置使用情報、および割り込み時のジョブ中断情報を含む。」（１０頁１８欄４７行〜１１頁１９欄２０行）、
　サ　「【００９６】したがって、図１における複写機１のように、コピー、ファクシミリ、ＰＣプリンタなど複数のアプリケーションが利用できる装置における、各アプリケーションのプリントジョブが同時期に指示された場合のプリントジョブ割り込みは、図２３に示すように行われる。なお、図２３はプリントジョブの割り込みイメージを示す図である。ＦＡＸ受信によるＦＡＸデータをプリント中に（図２３（ａ）参照）、ＰＣによりプリント指示があった場合、ＦＡＸ受信によるプリントジョブの優先度が「７」で、ＰＣによりプリントの優先度が「４」であるため、複写機は、ＦＡＸプリントを中断し、ＰＣプリントを実行する（図２３（ｂ）参照）。ＰＣプリントの実行中に液晶タッチパネル９１によりコピー指示があった場合、ＰＣによりプリントの優先度が「４」で、コピーの優先度が「１」または「２」であるため、複写機は、ＰＣプリントを中断し、コピーを実行する（図２３（ｃ）参照）。コピーが終わると、複写機は、他に優先度の高いプリントジョブが存在しないため、中断したＰＣプリントを実行する（図２３（ｄ）参照）。ＰＣプリントが終了すると、複写機は、他に優先度の高いプリントジョブが存在しないため、中断したＦＡＸプリントを実行する（図２３（ｅ）参照）。」（１２頁２１欄３行〜２４行）、
　シ　「【００９９】なお、サーバでは、プリントジョブの進行状況、すなわち処理中、中断中および処理待ちのジョブをモニタでき、必要であればプリントジョブの削除、優先処理、割り込みプリントが可能である。図２４は、プリントジョブのモニタ画面の一例を示す図である。この画面は、操作者が操作パネルＯＰのジョブ管理キー１００を押下して、液晶タッチパネル９１のキーＴＰ１３を操作することにより表示される。これにより、プリントジョブの進行状況がわかる。」（１２頁２１欄４２行〜５０行）が記載されている。
　これらの記載ア〜シ及び図面図１〜図２６によれば、引用例１には、
「メモリユニットに格納された画像データを用紙にプリントするプリンタサーバ（複写機１）であって、原稿を読み取って得た画像データをコピーのプリントジョブとして用紙にプリントする制御手段と、他装置から依頼されたプリントジョブに基づいた画像データを用紙にプリントする制御手段と、ジョブＩＤと、ジョブタイプと、クライアントと、アプリケーションと、プライオリティと、動作指示情報（原稿枚数、プリント部数、プリント／送信サイズ、画像データ形式（圧縮／非圧縮）、ＦＡＸ送信先、画像データ転送先等の動作内容）とを含むサーバ用ジョブ管理テーブルＪＴ（ａ）と、ネットワーク通信を行う外部入出力制御部５０と、クライアント、残りページ、ステータスを表すプリントジョブのモニタ画面と、を備えるプリンタサーバ。」の発明（以下、「引用発明１」という。）が記載されている。
（２）当審の拒絶の理由に引用された特開平５−２３３１７４号公報（以下、「引用例２」という。）には、
　ス　「【００２０】図３は本発明の実施例の動作を説明するためのジョブ一覧表示例を示す図であり、具体的には、リクエスタ１となるパーソナルコンピュータがもつディスプレイに表示されるジョブの一覧表示の例である。
【００２１】図４，図５もそれぞれ本発明の実施例の動作を説明するためのジョブ一覧表示例を示す図であり、図４はキューが図６の状態にある場合のジョブの一覧表示の例を示し、図５はキューが図７の状態にある場合のキューの一覧表示の例を示している。このジョブの一覧表示は、各ジョブ毎に、ジョブ番号、ユーザ名、日付、時刻、サイズ、ステータスの順に項目別に示される。以下、本発明の実施例の動作について説明する。
【００２２】一般のＬＡＮプリントサービスを実現するためのシステムは図１に示すようになっている。即ち、リクエスタ１上のアプリケーションプログラムが印刷したデータは、リクエスタ上１のＬＡＮプログラムを経てＬＡＮサーバ２内のプリントサーバ２１に渡される。
【００２３】リクエスタ１より送られた印刷データは、一旦、キューと呼ばれる領域に保存され（以下この行為をキューイングと呼ぶ）、リクエスタ１の印刷終了要求をプリントサーバ２１が受け取ったときにキューへの登録が完了し、プリントサーバ２１内のジョブとなって印刷待ちになる。この印刷待ちのジョブの一覧をリクエスタ１が持つディスプレイ上に表示することによりキューの状態を知ることができる。
【００２４】具体的には、先ず、リクエスタ１となるパーソナルコンピュータが、ジョブ一覧を得るために、ジョブ一覧獲得要求をＬＡＮサーバ２内のプリントサーバ２１に送出する。
【００２５】ＬＡＮサーバ２内のプリントサーバ２１はこの要求を受け取ると、まず現在キュー２２に登録されているジョブＣ（図６参照）の情報を獲得し、それをパケット内にセットする。
【００２６】次に、現在キューイング中のジョブの情報を獲得し、それをパケット内にセットする。このジョブは一時ファイルになっているので、その一時ファイルから情報を得る。そして、このパケットをリクエスタ１に送信する。
【００２７】リクエスタ１は受け取ったパケットをもとに自システムで持つプラズマディスプレイ上にキューのジョブ一覧を表示する。この際、パケット内には、状態を示す項目があり、現在印刷中か、印刷待ちか、またはキューイング中であるかを認識できるようになっており、その一覧は図３のような状態表示になる。」（３頁３欄３３行〜４欄２６行）が記載されている。
（３）当審の拒絶の理由に引用された特開平６−６７８２５号公報（以下、「引用例３」という。）には、
　セ　「【００１６】図３は、本発明のホストコンピュータ側における動作を説明するフローチャートである。
ステップ１…ジョブコントローラ４は、スプーラ３内に、遠隔印刷装置９へ送るべきデータがあるか否かチェックする。なければ、溜まるまで待機する。
ステップ２…あれば、そのデータをコピーする。コピーしたデータは、作業用記憶部５に一時的に格納する。そして、ジョブ管理テーブル２１にジョブを登録したあと、遠隔通信用ライタ６にデータを渡す。
【００１７】ステップ３…遠隔通信用ライタ６は、そのジョブはどのプリンタに送るものかを解析し、所要のデータ変換を行う。
ステップ４…更に、遠隔通信用ライタ６は、ジョブに識別用のＩＤコードを付与する。
ステップ５…セッションコントローラ７より論理端末セッション８を経て、遠隔印刷装置９へ送信する。送信したジョブに対応するスプーラ３内のジョブを、「保留」という扱いにして、まだ残しておく。（送信されたジョブのデータが、遠隔印刷装置９でどのような過程を経て処理されるかは、後で図４によって説明する。）
【００１８】ステップ６…ジョブコントローラ４は、遠隔印刷装置９からホストコンピュータ１へ、ジョブの処理状態についての通知があるかチェックする。なければ、あるまで待機する。図６に、処理の状態情報を通知するデータの構成を示す。状態情報通知データ２３は、大別して遠隔通信手順ヘッダー２３−１と、データ部２３−２とから成る。データ部２３−２は、「ジョブＩＤ」，処理をした結果の状態を表す「状態情報」，出力されたプリンタの名前とか場所や、プリント障害情報などに使用する「その他の情報」から成っている。
【００１９】ステップ７…通知があった時は、それに基づいて、ジョブ管理テーブル２１を更新する。
ステップ８…ジョブ管理テーブル２１に記録されているジョブの処理状態を、コンソール２０に表示させる。」（３頁３欄４８行〜４欄２９行）が記載されている。
（４）当審の拒絶の理由に引用された特開平８−２２１２３２号公報（以下、「引用例４」という。）には、
　ソ　「【００４５】次に、ワークステーションＷＳに印刷データのスプール時間とファイルサイズを表示するときの処理について説明する。この処理は、図４のフローチャートに示したステップ１３の処理において、プリントサーバＰＳが印刷待機中のステータス情報をワークステーションＷＳへ通知するときに、印刷データのスプール開始時間とファイルサイズの情報も通知する。
【００４６】そして、ワークステーションＷＳは、プリントサーバＰＳから印刷待機中のステータス情報と印刷データのスプール開始時間とファイルサイズの情報を受信すると、それらの情報をプリンタ情報専用表示部３に表示する。
【００４７】図６は図３のプリンタ情報専用表示部３にステータス情報とスプール開始時間とファイルサイズの情報の表示例を示す図である。プリンタ情報専用表示部３には、図６の（ａ）に示すように、先にプリントサーバ名と「印刷待機中」とが表示され、所定時間経過後（例えば、数秒後）に画面が切り換り、図６の（ｂ）に示すように、印刷データのスプール開始時間とファイルサイズが表示される。そして、この画面の切り換え表示を所定時間毎（例えば数秒毎）に交互に行なうとよい。
【００４８】このようにすれば、例えば、ワークステーションＷＳが複数の印刷データを一度にプリントサーバＰＳへ出力した場合、プリントサーバＰＳでその各印刷データ毎に管理している各印刷データのスプール時間とファイルサイズの情報をもそのワークステーションＷＳへ通知し、ワークステーションＷＳではそのスプール時間とファイルサイズをプリンタ情報専用表示部３に表示するので、複数の印刷データの印刷要求をしたとき、ユーザは現在行なっている作業を中断されることなく、各印刷データの処理状況を知ることができる。」（５頁７欄３１行〜８欄１１行）が記載されている。
（５）当審の拒絶の理由に引用された特開平９−１５６１８５号公報（以下、「引用例５」という。）には、
　タ　「【０００６】さらに、現在印刷中の印刷ジョブが自分のデータでない場合、プリンタの使用者の興味の対象は、それが誰の印刷ジョブであるかというより、むしろそれを印刷するのにどれくらい時間がかかるのか即ちデータのサイズに向けられることが多い。その場合において、現在印刷中のデータがどれ程のサイズのデータであるかは従来例では知ることができない。」（２頁２欄８行〜１５行）、
　チ　「【００１２】第１の表示制御機能は、印刷部が受信部に蓄積された印刷ジョブを読み出した後に当該印刷ジョブの要求元又はデータサイズ等を属性情報として表示部に出力する。このため、現に印刷中の属性情報が表示部に表示される。しかも、この属性情報は要求元やデータサイズ等であるため、プリンタ装置の使用者に対しては、当該印刷にどの程度の時間が必要かの判断材料となる。このため、使用者は、印刷待ちがどの程度なのかを表示部への表示により知ることとなる。」（３頁３欄３行〜１１行）が記載されている。
　
３．対比
　そこで、本願発明と引用発明１とを対比すると、
　引用発明１の「画像データ」、「プリントする」及び「コピー」は、本願発明の「イメージデータ」、「印刷する」及び「複写」に相当する。
　引用発明の「画像データ」は、「メモリユニットに格納された」ものなので、「電子的な」データであるといえる。
　引用発明の「プリンタサーバ（複写機１）」は、そのプリント機能、特に他装置から依頼されたプリントを受け付けるプリント機能の面から見ると「印刷装置」といえ、本願発明の「印刷装置」に相当する。
　引用発明の「原稿を読み取って得た画像データをコピーのプリントジョブとして用紙にプリントする制御手段」において、「コピーのプリントジョブ」は、複写のための印刷部分のジョブであるので、「複写ジョブ」といえ、「制御手段」は、複写のための制御であるので「複写制御手段」といえるから、引用発明の「原稿を読み取って得た画像データをコピーのプリントジョブとして用紙にプリントする制御手段」は、本願発明の「原稿を読み取って得たイメージデータを複写ジョブとして用紙に印刷する複写制御手段」に相当する。
　また、引用発明の「他装置から依頼されたプリントジョブに基づいた画像データを用紙にプリントする制御手段」において、「他装置」は、依頼する側の装置であるから「クライアント装置」といえ、「他装置から依頼されたプリントジョブ」は、「他装置が与えるプリントジョブ」といえ、「制御手段」は、印刷のための制御であるので「印刷制御手段」といえるから、引用発明の「他装置から依頼されたプリントジョブに基づいた画像データを用紙にプリントする制御手段」は、本願発明の「クライアント装置が与える印刷ジョブに基づいたイメージデータを用紙に印刷する印刷制御手段」に相当する。
　引用発明の「ネットワーク通信を行う外部入出力制御部５０」は、その情報送信機能の面から見ると「情報送信手段」を備えているといえる。
　したがって、本願発明と引用発明１は、「電子的なイメージデータを用紙に印刷する印刷装置であって、原稿を読み取って得たイメージデータを複写ジョブとして用紙に印刷する複写制御手段と、クライアント装置が与える印刷ジョブに基づいたイメージデータを用紙に印刷する印刷制御手段と、情報送信手段と、を備える印刷装置。」の点で一致し、以下の点で相違する。
　相違点１
　本願発明は、情報送信手段が「前記複写制御手段又は前記印刷制御手段による処理の対象となる複写ジョブと印刷ジョブとにおける各ジョブのイメージデータのサイズ情報を、各ジョブが複写ジョブであるか印刷ジョブであるかの種類の情報と各ジョブの識別子とに対応づけて外部装置に送信するジョブ情報送信手段」であるのに対し、引用発明１では、そのことが記載されていない点。
　
４．当審の判断
　以下、相違点１について検討する。
　引用発明１は、プリンタサーバのサーバ用ジョブ管理テーブルＪＴ（ａ）を備えている。該サーバ用ジョブ管理テーブルＪＴ（ａ）は、ジョブＩＤと、ジョブタイプと、クライアントと、アプリケーションと、プライオリティと、動作指示情報（原稿枚数、プリント部数、プリント／送信サイズ、画像データ形式（圧縮／非圧縮）、ＦＡＸ送信先、画像データ転送先等の動作内容）とを含むものであるが、ジョブＩＤはジョブ識別子といえ、ジョブタイプとアプリケーションにより、コピーのプリントジョブかプリンタのプリントジョブかの種類の情報を構成し、動作指示情報のうち、画像データの原稿枚数、プリント部数などにより、サイズの情報を構成するものである。そして、引用発明１は、クライアント、残りページ、ステータスを表すプリントジョブのモニタ画面が備えられ、プリンタサーバにおいてであるが、コピーのプリントジョブとプリンタのプリントジョブジョブの状況を纏めて把握することが開示され、また、クライアント装置との間で、ネットワーク通信を行う外部入出力制御部５０が備えられていることが、記載されている。
　また、引用例２には、「リクエスタ１となるパーソナルコンピュータが、ジョブ一覧を得るために、ジョブ一覧獲得要求をＬＡＮサーバ２内のプリントサーバ２１に送出する。ＬＡＮサーバ２内のプリントサーバ２１はこの要求を受け取ると、まず現在キュー２２に登録されているジョブＣ（図６参照）の情報を獲得し、それをパケット内にセットする。次に、現在キューイング中のジョブの情報を獲得し、それをパケット内にセットする。このジョブは一時ファイルになっているので、その一時ファイルから情報を得る。そして、このパケットをリクエスタ１に送信する。リクエスタ１は受け取ったパケットをもとに自システムで持つプラズマディスプレイ上にキューのジョブ一覧を表示する。」ことと、「ジョブの一覧表示は、各ジョブ毎に、ジョブ番号、ユーザ名、日付、時刻、サイズ、ステータスの順に項目別に示される。」ことが記載され、外部装置であるリクエスタに対し、ジョブ番号、サイズ等の情報を含むプリントジョブ一覧情報を送信する手段、即ちジョブ情報送信手段が開示されている。
　そして、外部装置に対し、印刷機側から、ジョブに識別用のＩＤコードを付与して送信する技術（例えば、引用例３参照）、外部装置に対し、印刷機側から、サイズ情報を送信し待ち時間を把握させる技術（例えば、引用例４、５参照）、複数のジョブを行う画像処理装置のジョブの種類として「複写ジョブ」と「印刷ジョブ」があること（例えば、特開平７−２３４７６８号公報、特開平８−１８７０６号公報、特開平８−３０７５８３号公報参照）は周知な技術事項である。
　してみると、引用発明１において、引用例２〜５、上記周知な技術事項を採用し、情報送信手段が「前記複写制御手段又は前記印刷制御手段による処理の対象となる複写ジョブと印刷ジョブとにおける各ジョブのイメージデータのサイズ情報を、各ジョブが複写ジョブであるか印刷ジョブであるかの種類の情報と各ジョブの識別子とに対応づけて外部装置に送信するジョブ情報送信手段」とすることは、当業者が容易に想到することができたものである。
　
５．むすび
　以上のとおり、本願発明は、引用例１〜５に記載された発明及び周知技術から当業者が容易に発明することができたものであるから、特許法第２９条第２項の規定により特許を受けることができない。
　したがって、本願は、他の請求項について、検討するまでもなく拒絶されるべきものである。
　よって、結論のとおり審決する。